(57)【要約】【課題】２種類の物質を容器に移すことができるキャップ、キャップ付き容器、物質混合方法、及び容器入り飲食品を提供する。【解決手段】キャップ１２は、第１開口及び前記第１開口の周りの第２開口を仕切る内壁部２２と、前記第２開口の外周を囲む外壁部２４と、前記第１開口に通じる第１収容部２６と、前記第２開口に通じる第２収容部２８と、を有する蓋体１６と、前記内壁部２２に脱落自在に固定される第１底蓋１８と、前記第１底蓋１８の周縁部に接触する接触部３４と、前記外壁部２４に接触する第２底蓋３６と、前記第２収容部２８の内部空間の外側に形成された連通路３８と、を有し、前記蓋体１６に連結される固定体２０Ａとを備える。【選択図】図２
2020011760.tif 000002
【特許請求の範囲】
【請求項１】
第１開口及び前記第１開口の周りの第２開口を仕切る内壁部と、前記第２開口の外周を囲む外壁部と、前記第１開口に通じる第１収容部と、前記第２開口に通じる第２収容部と、を有する蓋体と、
前記内壁部に脱落自在に固定される第１底蓋と、
前記第１底蓋の周縁部に接触する接触部と、前記外壁部に接触する第２底蓋と、前記第２収容部の内部空間の外側に形成された連通路と、を有し、前記蓋体に連結される固定体と
を備えるキャップ。
【請求項２】
前記キャップは、前記第１開口及び前記第２開口と反対側に天蓋を有し、
前記天蓋に飲み口が設けられている請求項１記載のキャップ。
【請求項３】
容器と、
前記容器に装着された請求項１又は２に記載の前記キャップと
を備えるキャップ付き容器。
【請求項４】
前記容器は、内容器と、前記内容器を収容する外容器と、を有し、
前記第１底蓋を介して前記内容器と前記第１収容部が連通し、前記第２底蓋を介して前記外容器と前記第２収容部が連通した状態で、前記キャップが装着された
請求項３に記載のキャップ付き容器。
【請求項５】
前記第１収容部に収容された第１物質と、
前記第２収容部に収容された第２物質と、
前記内容器に収容された第３物質と、
前記外容器と前記内容器の間に収容された第４物質と
を備える請求項４に記載のキャップ付き容器。
【請求項６】
前記第４物質は、前記第２物質が加わることによって、発熱反応又は吸熱反応をする請求項５に記載のキャップ付き容器。
【請求項７】
容器にねじ止めされ、第１物質と第２物質とがそれぞれ分離して収容されたキャップを、前記容器に対し開方向に回転させ、前記第１物質と前記第２物質とを前記容器内に移す工程を備える物質混合方法。
【請求項８】
前記容器は、第３物質と第４物質とがそれぞれ分離して収容され、
前記第１物質と前記第２物質とを前記容器内に移す工程は、
前記第１物質が前記第３物質に加わり、前記第２物質が前記第４物質に加わる
請求項７に記載の物質混合方法。
【請求項９】
飲食品をキャップ付き容器内に収容してなる容器入り飲食品であって、
前記キャップ付き容器が、
第１開口及び前記第１開口の周りの第２開口を仕切る内壁部と、前記第２開口の外周を囲む外壁部と、前記第１開口に通じる第１収容部と、前記第２開口に通じる第２収容部と、を有する蓋体と、
前記内壁部に脱落自在に固定される第１底蓋と、
前記第１底蓋の周縁部に接触する接触部と、前記外壁部に接触する第２底蓋と、前記第２収容部の内部空間の外側に形成された連通路と、を有し、前記蓋体に連結される固定体と
を備えるキャップと、
前記キャップが装着される容器とを含む、容器入り飲食品。
【発明の詳細な説明】
【技術分野】
【０００１】
本発明は、キャップ、キャップ付き容器、物質混合方法、及び容器入り飲食品に関するものである。
【背景技術】
【０００２】
従来、飲料が充填されたボトルの口部を塞ぐキャップとして、内部に粉末等の物質を収容する収容部を有し、キャップを開ける操作に伴い、収容部が開き、物質をボトル内に放出するタイプのものが開示されている（例えば、特許文献１）。特許文献１に記載のキャップは、粉茶などの物質と、ボトルに収容した水とを、ユーザが飲む直前に混合することができる。
【先行技術文献】
【特許文献】
【０００３】
【特許文献１】特開２００５−８８９９７号公報
【発明の概要】
【発明が解決しようとする課題】
【０００４】
しかしながら、上記特許文献１に記載のキャップは、収容できる物質が１種類であるため、用途が限られていた。
【０００５】
本発明は、２種類の物質を容器に移すことができるキャップ、キャップ付き容器、物質混合方法、及び容器入り飲食品を提供することを目的とする。
【課題を解決するための手段】
【０００６】
本発明に係るキャップは、第１開口及び前記第１開口の周りの第２開口を仕切る内壁部と、前記第２開口の外周を囲む外壁部と、前記第１開口に通じる第１収容部と、前記第２開口に通じる第２収容部と、を有する蓋体と、前記内壁部に脱落自在に固定される第１底蓋と、前記第１底蓋の周縁部に接触する接触部と、前記外壁部に接触する第２底蓋と、前記第２収容部の内部空間の外側に形成された連通路と、を有し、前記蓋体に連結される固定体とを備える。
【０００７】
本発明に係るキャップ付き容器は、容器と、前記容器に装着された上記キャップとを備える。
【０００８】
本発明に係る物質混合方法は、容器にねじ止めされ、第１物質と第２物質とがそれぞれ分離して収容されたキャップを、前記容器に対し開方向に回転させ、前記第１物質と前記第２物質とを前記容器内に移す工程を備える。
【０００９】
本発明に係る容器入り飲食品は、飲食品をキャップ付き容器内に収容してなる容器入り飲食品であって、前記キャップ付き容器が、第１開口及び前記第１開口の周りの第２開口を仕切る内壁部と、前記第２開口の外周を囲む外壁部と、前記第１開口に通じる第１収容部と、前記第２開口に通じる第２収容部と、を有する蓋体と、前記内壁部に脱落自在に固定される第１底蓋と、前記第１底蓋の周縁部に接触する接触部と、前記外壁部に接触する第２底蓋と、前記第２収容部の内部空間の外側に形成された連通路と、を有し、前記蓋体に連結される固定体とを備えるキャップと、前記キャップが装着される容器とを含む。
【発明の効果】
【００１０】
本発明によれば、キャップが第１収容部と第２収容部にそれぞれ物質を収容することによって、２種類の物質を容器に移すことができる。
【図面の簡単な説明】
【００１１】
【図１】本実施形態に係るキャップ付き容器を示す斜視図である。
【図２】本実施形態に係るキャップ付き容器を示す断面斜視図である。
【図３】本実施形態に係る固定体の平面図である。
【図４】使用状態を段階的に示す端面図であり、図４Ａは蓋体に第２物質を収容した段階、図４Ｂはキャップに固定体を装着し第１物質を収容した段階、図４Ｃは蓋体に第１底蓋を装着した段階を示す図である。
【図５】使用状態を段階的に示す端面図であり、キャップに内容器を装着した段階を示す図である。
【図６】使用状態を段階的に示す端面図であり、キャップに外容器を装着した段階を示す図である。
【図７】使用状態を段階的に示す端面図であり、第１物質及び第２物質がキャップから容器へ移る様子を示す図である。
【図８】使用状態を段階的に示す端面図であり、蓋体を取り外した状態を示す図である。
【図９】使用状態を段階的に示す端面図であり、固定体から取り外した状態の内容器を示す図である。
【図１０】変形例に係るキャップ付き容器を示す端面図である。
【図１１】使用状態を示す端面図であり、第１物質及び第２物質がキャップから容器へ移る様子を示す図である。
【発明を実施するための形態】
【００１２】
本発明に係るキャップは、第１開口及び前記第１開口の周りの第２開口を仕切る内壁部と、前記第２開口の外周を囲む外壁部と、前記第１開口に通じる第１収容部と、前記第２開口に通じる第２収容部と、を有する蓋体と、前記内壁部に脱落自在に固定される第１底蓋と、前記第１底蓋の周縁部に接触する接触部と、前記外壁部に接触する第２底蓋と、前記第２収容部の内部空間の外側に形成された連通路と、を有し、前記蓋体に連結される固定体とを備える。
【００１３】
キャップは、第１収容部と第２収容部にそれぞれ物質を収容することによって、２種類の物質を容器に移すことができる。上記キャップが適用される容器は、外容器のみの場合と、外容器と当該外容器内に収容された内容器とを有する場合を含む。容器が外容器のみの場合、外容器内に収容された物質と、キャップに収容された２種類の物質を混合することができる。
【００１４】
容器が外容器と内容器とを有する場合、外容器に収容された物質とキャップの一方の物質、内容器に収容された物質とキャップの他方の物質を、それぞれ混合することができる。さらに、外容器の物質とキャップの一方の物質との混合物と、内容器の物質とキャップの他方の物質との混合物とを、混合してもよい。
【００１５】
物質は、飲食品、加熱剤、冷却剤などであって、液体、固体、及び液体と固体の混合物を含む。「飲食品」とは、飲料、及び、飲料以外の食品を包含する。固体は、水などの溶媒に溶けるものと、溶けないものとを含む。固体は、粉末、錠剤、凍結乾燥によって固めたものなどを含む。物質としては、例えば、水、緑茶、コーヒー、紅茶、濃縮ミネラル、海洋深層水抽出ミネラル、健康食品、シリアル食品、粉ミルク、流動食、薬剤、濃縮果汁、乳製品、アルコール、濃縮野菜、スープ原料、ビタミン類、糖類、薬草類、発酵菌などが挙げられる。外容器に収容される物質には、キャップの一方の物質が加わることによって、発熱反応をする加熱剤又は吸熱反応をする冷却剤を用いてもよい。
【００１６】
以下、図面を参照して本発明の実施形態について詳細に説明する。
（全体構成）
図１に示すキャップ付き容器１０Ａは、キャップ１２と、容器１４とを備える。キャップ付き容器１０Ａは、例えば、金属缶や、合成樹脂製容器包装、合成樹脂ラミネート容器包装、又はこれらの組合せ容器包装に適用することができる。金属缶の場合は、キャップ１２及び容器１４が金属である場合に限らず、開口部分を密閉するため、合成樹脂製のキャップ１２を使用してもよい。金属としては、アルミニウムや鋼などを用いることができる。キャップ１２に使用する合成樹脂は、ポリエチレン、エチレン・１−アルケン共重合樹脂又はポリエチレンテレフタレートなどを用いることができる。合成樹脂製容器包装は、単層の合成樹脂層からなる容器包装をいう。合成樹脂としては、ポリエチレン、エチレン・１−アルケン共重合樹脂又はポリエチレンテレフタレートなどを用いることができる。合成樹脂ラミネート容器包装は、合成樹脂にアルミニウム箔を貼り合わせた容器包装、これにセロファン若しくは紙を貼り合わせた容器包装、又は複数の合成樹脂層を貼り合わせた多層ラミネート容器包装をいう。合成樹脂ラミネート容器包装にあっては、内容物に直接接触する部分がポリエチレン、エチレン・１−アルケン共重合樹脂又はポリエチレンテレフタレートなどを用いることができる。
【００１７】
図２に示すように、キャップ１２は、蓋体１６と、第１底蓋１８と、固定体２０Ａとを有する。蓋体１６は、筒状の内壁部２２と、内壁部２２と同心円状に配置された筒状の外壁部２４とを有する。蓋体１６の基端は、天蓋３０で塞がれている。天蓋３０は円盤状の部材である。内壁部２２と外壁部２４は、天蓋３０を介して一体に形成されている。外壁部２４は、基端において天蓋３０の外周縁に接続されている。内壁部２２は基端において、天蓋３０の表面に接続されている。蓋体１６は、内壁部２２で囲まれた円柱状の第１収容部２６と、外壁部２４と内壁部２２で囲まれた環状の第２収容部２８とを有する。外壁部２４の先端側の外周面には、雄ねじ３２が形成されている。
【００１８】
第１収容部２６は、内壁部２２の先端に設けられた第１底蓋１８によって、密閉されている。第１底蓋１８は、円盤状の部材であり、一側表面に環状の溝１９を有する。当該溝１９に内壁部２２の先端が嵌め込まれ、第１底蓋１８が内壁部２２の先端に固定されている。
【００１９】
固定体２０Ａは、接触部３４と、第２底蓋３６と、連通路３８とを有する。第２底蓋３６は、環状の板部材であり、内周縁が接触部３４である。当該接触部３４は、第１底蓋１８の一側表面の周縁部に接触する位置に配置される。第２底蓋３６の内周縁には、接触部３４と逆側に、第１内筒部４２が一体に形成されている。
【００２０】
第１内筒部４２は内面に筒状シール部４８を有する。筒状シール部４８は、第１内筒部４２の半径方向の内側に向かって突出している。当該筒状シール部４８は、内壁部２２の外周面に接触している。
【００２１】
第２底蓋３６の一側表面に、外壁部２４の先端が接触している。第２底蓋３６の他側表面には、第２内筒部４３が一体に設けられている。第２内筒部４３は、内周面に径小雌ねじ５０が形成されている。
【００２２】
第２底蓋３６には、連通路３８が形成されている。連通路３８は、外壁部２４の先端が第２底蓋３６に接触する位置から半径方向の外側となる位置に配置されている。すなわち連通路３８は、第２収容部２８の内部空間の外側に設けられている。連通路３８より内側で外壁部２４の先端が第２底蓋３６に接触していることによって、第２収容部２８が密閉される。
【００２３】
第２底蓋３６の外周縁は、外筒部４０の内周面に接続されている。外筒部４０は、基端側の内周面に雌ねじ４４、先端側の内周面に径大雌ねじ４６が形成されている。雌ねじ４４を雄ねじ３２にねじ込むことによって、固定体２０Ａと蓋体１６が一体化される。蓋体１６は、外筒部４０の基端が接触する位置にシール面を有することとしてもよい。
【００２４】
容器１４は、内容器５２と、当該内容器５２を収容する外容器５４とを有する。内容器５２と外容器５４の間には、所定の隙間５５が形成されている。内容器５２及び外容器５４は、先端に開口を有する有底筒状の部材である。内容器５２は、開口部分に、第１シール面５６と、径小雄ねじ５８とを有する。第１シール面５６は、内容器５２の半径方向に平行な環状の面である。内容器５２は、径小雄ねじ５８を径小雌ねじ５０にねじ込むことによって、固定体２０Ａに装着される。第２内筒部４３の先端が第１シール面５６に接触する。内容器５２は、第１シール面５６と筒状シール部４８によって、密閉される。
【００２５】
外容器５４は、開口部分に、第２シール面６０と、径大雄ねじ６２とを有する。第２シール面６０は、外容器５４の半径方向に平行な環状の面である。外容器５４は、径大雄ねじ６２を径大雌ねじ４６にねじこむことによって、固定体２０Ａに装着される。外筒部４０の先端が第２シール面６０に接触する。
【００２６】
図３に示すように、固定体２０Ａは中央に開口６４を有する。第２底蓋３６には、連通路３８が複数形成されている。本図の場合、連通路３８は、第２底蓋３６の周方向に所定の間隔をあけて配置されている。
【００２７】
（使用方法）
キャップ付き容器１０Ａに物質を入れる手順について説明する。一例として、第１物質として粉ミルク、第２物質及び第３物質として水、第４物質として加熱剤を適用する場合について説明する。加熱剤は、透水性の袋体に梱包されているのが好ましい。加熱剤は、例えば、粉体アルミニウムと粉体生石灰とからなる。袋体は、水を浸透させる所定の目付量の不織布、和紙、合成紙などで形成することができる。
【００２８】
まず図４Ａに示すように、蓋体１６の天蓋３０を下向きとし、上向きとなった第２開口２７から第２収容部２８へ第２物質６６を入れる。次いで、外壁部２４の先端が第２底蓋３６に接触するまで、雌ねじ４４を雄ねじ３２にねじ込むことによって、蓋体１６に固定体２０Ａを装着する（図４Ｂ）。続いて、上向きの第１開口２５から第１収容部２６へ第１物質６８を入れる。次いで、内壁部２２の先端を溝１９に嵌め込むことによって、蓋体１６に第１底蓋１８を装着する（図４Ｃ）。以上のようにして、第１物質６８及び第２物質６６が収容されたキャップ１２が得られる。
【００２９】
天蓋３０を上向きとし、径小雌ねじ５０に径小雄ねじ５８をねじ込むことによって、予め第３物質７０を入れておいた内容器５２をキャップ１２に装着する（図５）。次いで、径大雌ねじ４６に径大雄ねじ６２をねじこむことによって、予め第４物質７２を入れておいた外容器５４をキャップ１２に装着する。以上のようにして、第１物質６８、第２物質６６、第３物質７０、第４物質７２が、それぞれ分離した状態で収容されたキャップ付き容器１０Ａが得られる（図６）。言い換えれば、飲食品（第１物質６８、第３物質７０）がキャップ付き容器１０Ａに収容された容器入り飲食品が得られる。
【００３０】
次にキャップ１２に収容された第１物質６８及び第２物質６６を、容器１４内へ移す手順について説明する。まず図７に示すように、蓋体１６を開方向に回転する。蓋体１６は回転によって軸方向の上向きに移動する。第１底蓋１８の一側表面の縁部が接触部３４に接触することによって、第１底蓋１８が内壁部２２の先端から脱落し、内容器５２内へ落下する。第１底蓋１８と共に、第１収容部２６内の第１物質６８が内容器５２内へ落下する。内容器５２内へ落下した第１物質６８である粉ミルクは、内容器５２に収容された第３物質７０である水に混ざる。内容器５２内へ落下した第１底蓋１８は、キャップ付き容器１０Ａが振られた場合、撹拌子として機能し、第１物質６８と第３物質７０をより効率的に混合する。
【００３１】
なお、筒状シール部４８が内壁部２２の外周面に接触している間は、第２収容部２８と第１収容部２６の間はシールされているので、第２物質６６が第１収容部２６内から内容器５２内へ流入することはない。
【００３２】
蓋体１６が軸方向の上向きに移動することによって、外壁部２４の先端が第２底蓋３６から離れ、当該先端と第２底蓋３６の表面の間に隙間が形成される。当該隙間から第２収容部２８内の第２物質６６が流れ出し、連通路３８を通じて、外容器５４と内容器５２の間に流れ込む（図７中、矢印）。外容器５４と内容器５２の間に流れ込んだ第２物質６６は、外容器５４に収容された第４物質７２に到達する。第２物質６６である水は、袋体を浸透して加熱剤に接触する。加熱剤は、水が加わることによって発熱反応をする。発熱反応によって、内容器５２内の第１物質６８と第３物質７０を混合した第１混合物であるミルク７１を加熱する。
【００３３】
発熱反応が終了した後、蓋体１６を固定体２０Ａから取り外し（図８）、さらに固定体２０Ａから外容器５４、内容器５２を取り外す（図９）。以上のようにして、所定の温度に加熱されたミルク７１が得られる。内容器５２には、飲み口（例えば人工乳首）が設けられた別の蓋体を開口に装着し直してもよい。
【００３４】
（作用及び効果）
キャップ１２は、第１収容部２６と第２収容部２８とを有することによって、第１物質６８と第２物質６６を分離して収容することができる。キャップ１２は、蓋体１６を開方向に回転させることで、第１底蓋１８を内壁部２２から脱落させるとともに、外壁部２４と第２底蓋３６のシールを解除し、第１物質６８と第２物質６６を容器１４内へ移すことができる。すなわちユーザは、蓋体１６を開方向に回転させる１回の動作で、第１物質６８と第２物質６６を容器１４内へ移すことができる。本実施形態の場合、第１収容部２６が第１底蓋１８によって密閉されているので、キャップ１２から内容器５２へ、第１物質６８を外気に曝さずに移すことができる。
【００３５】
本実施形態の場合、内容器５２と外容器５４とを備えることによって、第１収容部２６の第１物質６８と内容器５２内の第３物質７０とからなる第１混合物と、第２収容部２８の第２物質６６と外容器５４内の第４物質７２とからなる第２混合物とを得ることができる。
【００３６】
第４物質７２として加熱剤を適用することによって、内容器５２内の第２混合物を加熱することができる。したがって第１物質６８である粉ミルクを外気に曝さずに第３物質７０である水と混合し、さらに所定の温度に加熱できるので、衛生的かつ簡便な手順で所定温度に暖められたミルク７１を作ることができる。
【００３７】
（変形例）
本発明は上記実施形態に限定されるものではなく、本発明の趣旨の範囲内で適宜変更することが可能である。
【００３８】
上記実施形態では、蓋体１６を取り外す場合について説明したが、本発明はこれに限らない。例えば、天蓋３０に飲み口を有する蓋体を用いることで、蓋体及び固定体２０Ａを容器１４に装着したまま使用することができる。この場合、蓋体を覆う外カバーを備えるのが好ましい。
【００３９】
上記実施形態では、第４物質７２として加熱剤を用いた場合について説明したが、本発明はこれに限らない。例えば、第２物質６６と第４物質７２とを適宜選択することによって、第２物質６６と第４物質７２とを混合した食品（第２混合物）を得てもよいし、さらに第１混合物と第２混合物とを合わせた食品（第３混合物）を得てもよい。
【００４０】
上記実施形態の場合、第１物質６８が内容器５２内へ移るタイミングと、第２物質６６が外容器５４内へ移るタイミングがほぼ同じである場合について説明したが、本発明はこれに限らない。例えば、第１物質６８より先に第２物質６６を外容器５４内へ移すこととしてもよい。この場合、第１底蓋１８と接触部３４の間の距離を長くすることによって、その分、第１物質６８が内容器５２内へ移るタイミングを第２物質６６が外容器５４内へ移るタイミングより遅らせることができる。
【００４１】
上記実施形態の場合、容器１４は内容器５２と外容器５４とを有する場合について説明したが、本発明はこれに限らない。例えば、図１０に示すキャップ付き容器１０Ｂは、内容器５２が省略されている。すなわちキャップ付き容器１０Ｂの容器は、外容器５４のみである。固定体２０Ｂは、第２内筒部が省略されている。キャップ付き容器１０Ｂは、キャップ１２に第１物質６８と第２物質６６が収容され、外容器５４に第３物質７０が収容されている。蓋体１６は、外筒部４０の基端が接触する位置に第３シール面７４を有する。第３シール面７４は、蓋体１６の半径方向に平行な環状の面である。外容器５４は、第３シール面７４と、第２シール面６０とによって密閉される。
【００４２】
蓋体１６を開方向に回転することによって、第１底蓋１８を内壁部２２の先端から脱落させる（図１１）。第１底蓋１８と共に、第１収容部２６内の第１物質６８が外容器５４内へ落下する。同時に、蓋体１６が軸方向の上向きに移動することによって、外壁部２４の先端と第２底蓋３６の表面の隙間から第２収容部２８内の第２物質６６が流れ出し、連通路３８を通じて、容器内に流れ込む（図１１中、矢印）。このようにして外容器５４内において、第１物質６８、第２物質６６、及び第３物質７０が混ざった食品（第４混合物）を得ることができる。
【００４３】
上記実施形態の場合、第１シール面５６、第２シール面６０、第３シール面７４は、半径方向に平行な環状の面である場合について説明したが、本発明はこれに限らず、軸方向に傾斜した環状の面であってもよい。
【符号の説明】
【００４４】
１０Ａ、１０Ｂ  キャップ付き容器
１２  キャップ
１４  容器
１６  蓋体
１８  第１底蓋
２０Ａ、２０Ｂ  固定体
２２  内壁部
２４  外壁部
２５  第１開口
２６  第１収容部
２７  第２開口
２８  第２収容部
３０  天蓋
３４  接触部
３６  第２底蓋
３８  連通路
５２  内容器
５４  外容器
６６  第２物質
６８  第１物質
７０  第３物質
７２  第４物質
【図１】
2020011760.tif 000003
【図２】
2020011760.tif 000004
【図３】
2020011760.tif 000005
【図４】
2020011760.tif 000006
【図５】
2020011760.tif 000007
【図６】
2020011760.tif 000008
【図７】
2020011760.tif 000009
【図８】
2020011760.tif 000010
【図９】
2020011760.tif 000011
【図１０】
2020011760.tif 000012
【図１１】
2020011760.tif 000013